(57)【特許請求の範囲】
【請求項１】
細長い把持部を有する日用品の把持を補助する把持補助具であって、
可撓性の帯状シートを有し、
この帯状シートに、その長手方向に配列され且つ日用品の細長い把持部が貫通可能な少なくとも３つの貫通部を設けたことを特徴とする把持補助具。
【請求項２】
前記貫通部は、前記帯状シートの長手方向全体にわたって連続的に配置されている、請求項１に記載の把持補助具。
【請求項３】
前記帯状シートは、エラストマーで作られる、請求項１又は２に記載の把持補助具。
【請求項４】
前記貫通部は、帯状シートの幅方向に延びる細長い幅方向貫通孔を有する、請求項１乃至３の何れか１項に記載の把持補助具。
【請求項５】
前記貫通部は、帯状シートの幅方向中心部に位置する、日用品の把持部が貫通可能な中心凹部を有する、請求項１乃至３の何れか１項に記載の把持補助具。
【請求項６】
前記貫通部は、交互に配置された、帯状シートの幅方向に延びる細長い幅方向貫通孔と帯状シートの幅方向中心部に位置する、日用品の把持部が貫通可能な中心凹部とを有する、請求項１乃至３の何れか１項に記載の把持補助具。
【請求項７】
前記幅方向貫通孔は、それを貫通する日用品の把持部の移動を制限するための凸部を有する、請求項４又は６に記載の把持補助具。
【請求項８】
前記中心凹部は、切除により前記中心凹部に形成可能な中心貫通孔の輪郭を構成する複数の段付き部を有する、請求項５又は６に記載の把持補助具。
【請求項９】
前記中心凹部は、日用品の把持部が貫通可能な中心貫通孔と、この中心貫通孔を貫通する日用品の把持部の移動を制限するための複数の凸部と、を有する、請求項５又は６に記載の把持補助具。
【請求項１０】
前記中心凹部は、日用品の把持部が貫通可能な中心貫通孔と、この中心貫通孔を貫通する日用品の把持部の移動を制限するための複数の凸部と、を切除により形成可能な放射状凹部を有する、請求項５又は６に記載の把持補助具。
【請求項１１】
前記帯状シートは、耐熱エラストマーで作られる、請求項３乃至１０の何れか１項に記載の把持補助具。
【発明の詳細な説明】
【０００１】
【発明の属する技術分野】
本発明は、日用品の把持補助具に関し、更に詳細には、手や指の動きが不自由な人等が細長い把持部を有する日用品を把持することを補助する把持補助具に関する。
【０００２】
【従来の技術】
従来から、手や指の動きが不自由な人がスプーン、フォーク、鉛筆等を把持することを補助するための把持補助具が知られている。
【０００３】
例えば、手の平及び手の甲に巻付け固定される革又は布製の帯状シートを有し、この帯状シートの手の平部分にスプーン等の柄を帯状シートに沿って取付けて使用する把持補助具が知られている。この把持補助具を使用すれば、使用者は、スプーンの柄を手の平全体で握ることができる。
【０００４】
また、上述と同様の帯状シートの手の平部分に、スプーン等を枢動可能に挟持する挟持装置を取付けた補助把持具が、登録実用新案公報第 3048506号に開示されている。この把持補助具を使用すれば、使用者は、手の平に対するスプーンの角度を自由に変えられるので、手や指が不自由でない人とほぼ同じ持ち方をすることができる。
【０００５】
【発明が解決しようとする課題】
ところで、手や指の動きが不自由な人の症状は様々であり、把持すべき日用品も、スプーン、フォーク、歯ブラシ、鉛筆等様々である。従って、使用者の症状又は把持すべき日用品等に応じた把持方法を選択する必要がある。上述のスプーンを把持する場合を例に説明すれば、例えば、手首の動きが不自由である等、症状の比較的重い使用者には、手の平全体でスプーンを把持する前者の把持方法が好ましい。一方、手の平全体でスプーンの柄を握って食事動作を行うと、スプーンで掬ったものをこぼさないように体を横に傾けたり肩関節の屈曲させることが必要となるため、手首の動きが比較的自由である等、症状の比較的軽い使用者には、手首の動きでスプーンの角度が自由に変えられる後者の把持方法が好ましい。
【０００６】
しかしながら、現在知られている把持補助具は、把持方法が限定されている。このため、把持補助具の購入者は、予め把持方法を選択し、それに応じた把持補助具を購入する必要がある。それにより、以下のような問題点が生じる。通常、把持補助具の購入者と使用者は異なっており、使用者が把持補助具を試着して購入することは稀である。このため、使用者に適した把持方法を購入時に選択することは困難であり、購入した把持補助具が、使用者に適した把持方法を実現できる把持補助具でない場合がある。具体的には、実際に使用してみて使用者に適した把持方法でないことに気付いたり、使用者の症状に変化があった場合である。その場合には、使用者に適した把持補助具を購入し直さなければならない。
【０００７】
また、使用者によって大きさが異なる使用者の手や指が把持補助具から外れず、把持すべき日用品を把持補助具でしっかり保持することができる使い勝手の良い把持補助具の要望もある。
【０００８】
更に、把持補助具は、上述のように食事用品等の日用品にも使用するため、衛生的な把持補助具の要望もある。
【０００９】
そこで、本発明は、日用品の様々な把持方法が実現可能な把持補助具を提供することを目的としている。
【００１０】
また、本発明は、日用品の様々な把持方法が実現可能で使い勝手の良い把持補助具を提供することを目的としている。
【００１１】
また、本発明は、日用品の様々な把持方法が実現可能で衛生的な把持補助具を提供することを目的としている。
【００１２】
【課題を解決するための手段】
上記目的を達成するために、本発明による把持補助具は、細長い把持部を有する日用品の把持を補助する把持補助具であって、可撓性の帯状シートを有し、この帯状シートに、その長手方向に配列され且つ日用品の細長い把持部が貫通可能な少なくとも３つの貫通部を設けたことを特徴としている。
【００１３】
このように構成された本発明によれば、帯状シートを長手方向に撓ませて、少なくとも３つあるうちの２つの貫通部に、日用品の細長い把持部を貫通させることができる。それにより、日用品の把持部と帯状シートとからなる輪ができる。この輪の中に手や指を挿入することによって、手や指の動きが不自由であっても、手や指を日用品の把持部に接触させた状態を保つことができ、日用品の把持を補助することができる。
【００１４】
日用品の把持部が貫通する貫通部は、長手方向に少なくとも３つ配置され、その２つの貫通部を選択して輪を作る場合には、少なくとも２種類の大きさの輪を作ることができる。
【００１５】
また、長手方向に配置された３つの貫通部に日用品の把持部を貫通させた場合には、２つの輪を日用品の把持部の両側に１つずつ作ることができる。更に、把持部を貫通させる貫通部の順序を変えることにより、２つの輪の長手方向相対位置を変えることができる。把持部を貫通させる３つの貫通部のうち隣接した貫通部の間の距離が異なっていれば、大小の２つの輪を作ることができる。
【００１６】
また、日用品の把持部を単に貫通部に貫通させているだけなので、把持部に対する輪の長手方向位置を自由に設定することができる。
【００１７】
上述のように、本発明による把持補助具は、日用品の把持部に対する帯状シートの取付け形状、即ち、帯状シートと日用品の把持部によって構成される輪の数、配置、大きさ等を自由に変えることができるので、日用品に対する様々な把持方法を実現することができる。
【００１８】
本発明において、好ましくは、貫通部は、帯状シートの長手方向全体にわたって連続的に配置されている。
【００１９】
このような構成による本発明においては、貫通部が帯状シートの長手方向全体にわたって配置されているので、帯状シート全体を利用することができる。また、貫通部が長手方向に連続的に配置されているので、日用品の把持部を貫通部に貫通させることによってできる輪の大きさ、配置、数等を変更または調整することができる。それにより、更に多様な帯状シートの取付け形状が可能になり、更に様々な把持方法を実現することが可能になる。
【００２０】
また、使用者の手や指の大きさに合せた大きさの輪を作ることができるので、輪に挿入した手や指がずれたり、輪から外れたりすることを防止でき、把持補助具の使い勝手を良くすることができる。
【００２１】
本発明において、好ましくは、帯状シートは、エラストマーで作られる。
【００２２】
このように構成された本発明においては、日用品の把持部と共に輪を構成する帯状シートがエラストマーで作られているので、輪に挿入した手や指を日用品の把持部に押し当てることができる。それにより、輪に挿入した手や指がずれたり、輪から外れたりすることを防止でき、把持補助具の使い勝手を良くすることができる。
【００２３】
本発明において、好ましくは、貫通部は、帯状シートの幅方向に延びる細長い幅方向貫通孔を有する。
【００２４】
このように構成された本発明においては、断面が薄肉平板状の日用品の把持部を、帯状シートの幅方向に延びる細長い幅方向貫通孔に貫通させることにより、日用品を把持補助具に保持することができる。
【００２５】
本発明において、好ましくは、貫通部は、帯状シートの幅方向中心部に位置する、日用品の把持部が貫通可能な中心凹部を有する。
【００２６】
このように構成された本発明においては、断面が肉厚の日用品の把持部を、帯状シートの幅方向中心部に位置する中心凹部に貫通させることにより、日用品を把持補助具に保持することができる。
【００２７】
本発明において、好ましくは、貫通部は、交互に配置された、帯状シートの幅方向に延びる細長い幅方向貫通孔と帯状シートの幅方向中心部に位置する中心凹部とを有する。
【００２８】
このように構成された本発明においては、日用品の把持部の断面が薄肉平板上であるか肉厚であるかを問わず、日用品の把持部を、交互に配置された帯状シートの幅方向に延びる細長い幅方向貫通孔又は帯状シートの幅方向中心部に位置する中心貫通孔の何れかに貫通させることによって、日用品を把持補助具に保持することができる。
【００２９】
本発明において、好ましくは、幅方向貫通孔は、それを貫通する日用品の把持部の移動を制限するための凸部を有する。
【００３０】
このように構成された本発明によれば、幅方向貫通孔を貫通する日用品の把持部の移動を幅方向貫通孔の凸部によって制限するので、日用品の把持部を幅方向貫通孔に更にしっかりと保持することができる。
【００３１】
本発明において、好ましくは、中心凹部は、切除により中心凹部に形成可能な中心貫通孔の輪郭を構成する段付き部を有する。
【００３２】
このように構成された本発明においては、複数の段付き部から１つの段付き部を選択し、その段付き部に沿って中心凹部を切除して、中心貫通孔を形成する。それにより、日用品の把持部の断面の大きさに適した輪郭の中心貫通孔を形成することができ、日用品を把持補助具にしっかりと保持することができる。
【００３３】
本発明において、好ましくは、中心凹部は、日用品の把持部が貫通可能な中心貫通孔と、この中心貫通孔を貫通する日用品の把持部の移動を制限するための複数の凸部と、を有する。
【００３４】
このように構成された本発明によれば、中心凹部の中心貫通孔を貫通する日用品の把持部の移動が中心凹部の複数の凸部によって制限されるので、日用品の把持部を中心貫通孔にっかりと保持することができる。
【００３５】
本発明において、好ましくは、中心凹部は、日用品の把持部が貫通可能な中心貫通孔と、この中心貫通孔を貫通する日用品の把持部の移動を制限するための複数の凸部と、を切除により形成可能な放射状凹部を有する。
【００３６】
このように構成された本発明によれば、中心凹部の放射状凹部を切除することにより、日用品の把持部が貫通可能な中心貫通孔と、この中心貫通孔を貫通する日用品の把持部の移動を制限するための複数の凸部とを形成することができる。それにより、中心凹部の中心貫通孔を貫通する日用品の把持部の移動が中心凹部の複数の凸部によって制限されるので、日用品の把持部を中心貫通孔にっかりと保持することができる。
【００３７】
本発明において、好ましくは、帯状シートは、耐熱エラストマーで作られる。
【００３８】
このような構成による本発明においては、把持補助具を水に濡れるものにも使用でき、しかも、煮沸消毒することができるので、非常に衛生的である。
【００３９】
【発明の実施の形態】
以下、図面を参照して、本発明による把持補助具の実施形態を説明する。
【００４０】
図１は、本発明の第１の実施形態による把持補助具の平面図であり、図２は、図１に示す把持補助具のＡ−Ａにおける部分拡大断面図である。
【００４１】
図１に示すように、把持補助具１は、長手方方向に延びる帯状シート２を有する。帯状シート２には、日用品の細長い把持部を貫通可能な複数の貫通部４が長手方向に配置されている。帯状シート２の一方の端部６には、把持補助具１を引掛け具等に引掛けるための引掛け用孔８が設けられている。引掛け用孔８は、円形である。以下、説明のために、一方の端部６を引掛け端部６と称し、他方の端部１０を自由端部１０と称する。
【００４２】
帯状シート２は、可撓性であり、好ましくは、弾性、耐水性及び耐熱性を有し、更に好ましくは、煮沸消毒可能である。このため、帯状シート２は、例えば、シリコンゴムや合成ゴム等の耐熱エラストマーで作られるのが好ましい。帯状シート２の長さは、好ましくは、約２６０乃至２８０ｍｍであるが、それよりも短い長さであっても良いし、それよりも長い長さであっても良い。帯状シート２を更に長い長さで構成しておき、後述する使用方法を決定した後、切断して短くすることも可能である。また、帯状シート２の幅は、好ましくは、約２０乃至２５ｍｍであるが、それより狭い幅であっても良いし、それより広い幅であっても良い。また、帯状シート２の厚さは、好ましくは、約２乃至３ｍｍであるが、それより薄い厚さであっても良いし、それより厚い厚さであっても良い。
【００４３】
貫通部４は、帯状シート２の長手方向全体にわたって連続的に配置されており、幅方向に延びる細長い幅方向貫通孔１２と、幅方向中心部に位置する中心凹部１４とを有する。中心凹部１４には、孔が設けられていないが、後述するように、日用品の把持部を貫通可能である。幅方向貫通孔１２と中心凹部１４とは、長手方向に交互に配置されている。
【００４４】
幅方向貫通孔１２は、断面が薄肉平板状の日用品の細長い把持部を貫通させるのに適した形状を有している。また、幅方向貫通孔１２は、それを貫通する日用品の把持部の移動を制限するための凸部１６を有している。凸部１６は、幅方向貫通孔の幅方向に延びる辺の一方に１つ、その辺の他方に２つ互い違いに設けられている。また、凸部１６が対向する幅方向に延びる辺の部分は凹部１８をなし、幅方向貫通孔１２は、全体としてジグザグ形状をなしている。
【００４５】
図１及び図２に示すように、中心凹部１４は、複数の段付き部２０を有する。段付き部２０は、同心円状に３重に設けられ、その各々は、段付き部２０に沿って段付き部内側の中心凹部を切除したときに形成される中心貫通孔の輪郭を構成している。
【００４６】
また、中心凹部１４は、その中心から放射状に延びる放射状凹部２２を有している。放射状凹部２２は、中心凹部１４の中心周りに９０度間隔に４つ設けられている。放射状凹部２２は、切除又は切断可能であり、それを切除又は切断したとき、日用品の把持部が貫通可能な中心貫通孔(図１の２４の部分)と、この中心貫通する日用品の把持部の移動を制限するための複数の凸部(図１の２６部分)とが形成されるように構成されている。具体的には、放射状凹部２２が切除又は切断されたとき、放射状凹部２２の交差部に中心貫通孔が形成され、中心凹部１４の残部に複数の凸部が形成される。凸部は、扇形をなし、これら複数の凸部が撓むことにより、中心貫通孔は拡大可能である。
【００４７】
次に、図３乃至図７を参照して、本発明の実施形態による把持補助具の５つの使用方法を、断面が薄肉平板状のスプーンを使用する場合等を例に説明する。
【００４８】
図３は、本発明の実施形態による把持補助具の第１の使用方法を示す斜視図である。図３に示すように、スプーンＳの細長い把持部又は柄ＳＥは、帯状シート２の適当な２つの幅方向貫通孔１２に貫通されている。
【００４９】
詳細には、先ず、スプーンＳの柄ＳＥを貫通すべき２つの幅方向貫通孔１２を選択する。説明のため、これらの貫通孔１２を自由端部１０から順に、第１貫通孔３０、第２貫通孔３２と称する。スプーンＳの柄ＳＥを第１貫通孔３０、第２貫通孔３２の順に貫通させて、スプーンＳの上側に、使用者の手の平及び手の甲を包囲する大きさの輪３４を作る。幅方向貫通孔１２は、凸部１６を有しているので、帯状シート２は、スプーンＳの柄ＳＥの適所に保持される。
【００５０】
次いで、この輪３４に人差し指から小指までの４本の指を通し、更に、手の平及び手の甲を輪に挿入する。それにより、スプーンＳの柄ＳＥに手の平を接触させた状態を保つことができる。また、手の挿入前、輪３４を構成している帯状シート２はほぼ円弧形をなしているけれども、手の挿入後、帯状シート２の可撓性及び弾性により、帯状シート２が手の甲の形状に近づくと共に、使用者の手の平がスプーンＳの柄ＳＥに押し当てられる。
【００５１】
次いで、使用者は、把持補助具１の助けにより、手の平全体で、スプーンＳを把持することができる。
【００５２】
第１の使用方法においては、手や指の動きが不自由であっても、スプーンＳの柄ＳＥに手の平を接触させた状態を保つことができるので、把持補助具１は、スプーンＳの把持を補助することができる。また、手の平がスプーンＳの柄ＳＥに押し当てられているので、手を握っていない状態であっても、スプーンＳが手から外れることを防止することができる。
【００５３】
図４は、本発明の実施形態による補助把持具の第２の使用方法を示す斜視図である。図４に示すように、スプーンＳの細長い柄ＳＥは、帯状シート２の適当な３つの幅方向貫通孔１２に貫通されている。
【００５４】
詳細には、先ず、スプーンＳの柄ＳＥを貫通すべき３つの幅方向貫通孔１２を選択する。説明のため、これらの貫通孔１２を自由端部１０から順に、第１貫通孔４０、第２貫通孔４２、第３貫通孔４４と称する。スプーンＳの柄ＳＥを第２貫通孔４２、第１貫通孔４０、第３貫通孔４４の順に貫通させて、スプーンＳの下側に、親指が入る程度の大きさの小さい輪４６を作り、スプーンＳの上側に、使用者の手の平及び手の甲を包囲する大きさの大きい輪４８を作る。幅方向貫通孔１２は、凸部１６を有しているので、帯状シート２は、スプーンＳの柄ＳＥの適所に保持される。
【００５５】
次いで、小さい輪４６に親指を通し、大きい輪４８に人差し指から小指までの４本の指を通して、更に、手の平及び手の甲を輪に挿入する。それにより、スプーンＳの柄ＳＥに親指及び手の平を接触させた状態を保つことができる。また、手の挿入前、輪４６、４８を構成している帯状シート２は円弧形をなしているけれども、手の挿入後、帯状シート２の可撓性及び弾性により、帯状シート２が親指及び手の甲の形状に近づくと共に、使用者の親指及び手の平がスプーンＳの柄ＳＥに押し当てられる。
【００５６】
次いで、使用者は、把持補助具１の助けにより、手の平全体及び親指で、スプーンＳを把持することができる。
【００５７】
第２の使用方法においては、手や指の動きが不自由であっても、スプーンＳの柄ＳＥに親指及び手の平を接触させた状態を保つことができるので、スプーンＳの把持を補助することができる。また、親指及び手の平がスプーンＳの柄ＳＥに押し当てられているので、手を握っていない状態であっても、スプーンＳが手や指から外れることを防止することができる。更に、スプーンＳの上下両側から手や指がスプーンＳの柄ＳＥに押し当てられているので、上述の第１の使用方法よりも安定した状態でスプーンの把持を補助することができる。
【００５８】
図５は、本発明の実施形態による補助把持具の第３の使用方法を示す斜視図である。図５に示すように、スプーンＳの細長い柄ＳＥは、帯状シート２の適当な３つの幅方向貫通孔１２に貫通されている。
【００５９】
詳細には、先ず、スプーンＳの柄ＳＥを貫通すべき３つの幅方向貫通孔１２を選択する。説明のため、これらの貫通孔を自由端部１０から順に、第１貫通孔５０、第２貫通孔５２、第３貫通孔５４と称する。スプーンＳの柄ＳＥを第１貫通孔５０、第２貫通孔５２、第３貫通孔５４の順に貫通させて、スプーンＳの下側に、中指が入る程度の大きさの自由端部１０側の輪５６を作り、スプーンＳの上側に、親指が入る程度の大きさの引掛け端部６側の輪５８を作る。幅方向貫通孔１２は、凸部１６を有しているので、帯状シート２は、スプーンＳの柄ＳＥの適所に保持される。
【００６０】
次いで、引掛け端部６側の輪５８に図４の手前側から親指を通し、自由端部１０側の輪５６に中指を親指と反対側から入れる。それにより、スプーンＳの柄ＳＥに親指及び中指を接触させた状態を保つことができる。また、手の挿入前、輪を構成している帯状シートは円弧形をなしており、親指及び中指がスプーンＳの細長い柄ＳＥに対して斜め方向に輪に挿入されるけれども、親指及び中指の挿入後、帯状シート２の可撓性及び弾性により、帯状シート２が親指及び中指の形状に近づくと共に、それらがスプーンＳの柄ＳＥに押し当てられる。
【００６１】
次いで、使用者は、把持補助具１の助けにより、親指でスプーンＳの上側を保持し、中指でスプーンＳの下側を保持することによって、スプーンＳを把持することができる。
【００６２】
第３の使用方法においては、指の動きが不自由であっても、スプーンＳの柄ＳＥに親指及び中指を接触させた状態を保つことができるので、把持補助具１は、スプーンＳの把持を補助することができる。また、親指及び中指がスプーンＳの柄ＳＥに押し当てられているので、スプーンＳが親指及び中指から外れることを防止することができる。更に、第１及び第２の使用方法と異なり、手や指の動きが不自由でない人とほぼ同じ仕方でスプーンＳを把持することができる。
【００６３】
図６は、本発明の実施形態による補助把持具の第４の使用方法を示す斜視図である。図６に示すように、スプーンＳの細長い柄ＳＥは、帯状シート２の適当な３つの幅方向貫通孔１２に貫通されている。
【００６４】
詳細には、先ず、スプーンＳの柄ＳＥを貫通すべき３つの幅方向貫通孔１２を選択する。説明のため、これらの貫通孔を自由端部１０から順に、第１貫通孔６０、第２貫通孔６２、第３貫通孔６４と称する。スプーンＳの柄ＳＥを第１貫通孔６０、第２貫通孔６２、第３貫通孔６４の順に貫通させて、スプーンＳの上側に、親指が入る程度の大きさの小さい自由端部１０側の輪６６を作り、スプーンＳの下側に、使用者の人差し指から小指までを包囲する大きさの大きい引掛け端６部側の輪６８を作る。幅方向貫通孔１２は、凸部１６を有しているので、帯状シート２は、スプーンＳの柄ＳＥの適所に保持される。
【００６５】
次いで、大きい輪６８に人差し指から小指までの４本の指を図６の手前側から通し、同じ側から、小さい輪６６に親指を通す。それにより、スプーンＳの柄ＳＥに親指と人差し指の付け根を接触させた状態を保つことができる。また、使用者の指の挿入前、輪６６、６８を構成している帯状シート２は円弧形又はたるんだ形状をなしているけれども、手の挿入後、帯状シート２の可撓性及び弾性により、帯状シート２が親指及び人差し指から小指までの４本の指の形状に近づくと共に、親指と人差し指の付け根がスプーンＳの柄ＳＥに押し当てられる。
【００６６】
次いで、使用者は、把持補助具１の助けにより、親指でスプーンの上側を保持し、人差し指の付け根でスプーンの下側を保持することによって、スプーンＳを把持することができる。
【００６７】
なお、親指の代わりに、親指と反対側から、人差し指又は中指を輪６６に挿入しても良いし、人差し指から小指までの４本の指を輪６８に挿入した後、更に、手の平及び手の甲を輪６８に挿入しても良い。また、図６に示すように、親指と人差し指又は中指とで輪を作るようにしてスプーンＳを把持しても良い。
【００６８】
第４の使用方法においては、手や指の動きが不自由であっても、スプーンＳの柄ＳＥに親指と人差し指の付け根とを接触させた状態を保つことができるので、スプーンＳの把持を補助することができる。また、親指と人差し指の付け根がスプーンＳの柄ＳＥに押し当てられているので、指の動きが不自由な場合であっても、スプーンＳが手や指から外れることを防止することができる。更に、第３の使用方法と同様、スプーンＳを手や指の動きが不自由でない人とほぼ同じ仕方で把持することができる。また、人差し指から小指までの４本の指を輪６８に通しているので、第３の使用方法よりも安定した状態でスプーンＳの把持を補助することができる。
【００６９】
図７は、本発明の実施形態による補助把持具の第５の使用方法を示す斜視図である。図７に示すように、鉛筆Ｐの細長い把持部ＰＥは、帯状シート２の適当な２つの中心凹部１４に貫通されると共に、帯状シート２は、鉛筆Ｐの把持部ＰＥに巻き付けられている。
【００７０】
詳細には、先ず、鉛筆Ｐの把持部ＰＥを貫通すべき２つの中心凹部１４を選択する。説明のため、これらの中心凹部を自由端部１０から順に、第１中心凹部７０、第２中心凹部７２と称する。次いで、中心凹部７０、７２の放射状凹部２２を切除し、中心凹部７０、７２にそれぞれ、第１中心貫通孔７４及び第２中心貫通孔７６を形成すると共に、４つの凸部２６を形成する。次いで、第１中心凹部７０及び第２中心凹部７２の、鉛筆の外径に近い大きさを構成する段付き部２０を選択し、その段付き部２０よりも内側の部分をカッター等により切除する。それにより、第１中心貫通孔７４及び第２中心貫通孔７６が拡大される。広げられた中心貫通孔７４、７６の径は、鉛筆Ｐの外径よりも幾分小さいことが好ましい。
【００７１】
次いで、鉛筆Ｐの把持部ＰＥを第１中心貫通孔７４に挿入し、第１中心貫通孔７４を鉛筆Ｐの把持部ＰＥの下部ＰＬに配置する。次いで、帯状シート２を鉛筆Ｐの把持部ＰＥに巻き付ける。次いで、鉛筆Ｐの把持部Ｅを第２中心貫通孔７６に挿入し、第２中心貫通孔７６を鉛筆Ｐの把持部ＰＥの上部ＰＵに配置する。中心貫通孔７４、７６に把持部ＰＥが挿入されると、４つの凸部２６が撓んで、凸部２６が鉛筆Ｐの把持部ＰＥを押圧するので、把持補助具１に対する鉛筆Ｐの移動が制限される。
【００７２】
なお、把持補助具１が鉛筆Ｐを保持することができれば、中心貫通孔７４、７６を拡大することを省略しても良い。
【００７３】
第５の使用方法においては、鉛筆Ｐに巻き付けられた帯状シート２により、鉛筆Ｐの外径が実質的に拡大されている。それにより、鉛筆Ｐの把持が、把持補助具１を装着しない場合よりも容易になっている。
【００７４】
以上、本発明による把持補助具の５つの使用方法を説明したけれども、かかる説明は例示であり、以下のような変形使用方法も可能である。
【００７５】
上述の説明では、スプーン又は鉛筆の把持を説明したけれども、その他の日用品、例えば、ナイフ、フォーク、ペン、歯ブラシ、ヘアブラシ、虫めがね等を把持しても良い。
【００７６】
また、補助把持具１とスプーン等とによって、輪を３つ以上形成しても良い。また、輪の中に入れる指の種類、本数等は、使用者の症状又は把持すべきスプーン等の日用品に応じて適宜変更可能である。
【００７７】
また、できた輪の大きさが大きすぎたり小さすぎたりした場合等には、連続的に配置されている貫通部４を選択し直して、再び、それにスプーン等の把持部を貫通させれば良い。帯状シート２の向きを反対にする場合も同様である。
【００７８】
また、スプーン等の把持部に対する輪の長手方向位置を変えたいときは、帯状シート２又は把持部を互いに対してずらせば良い。
【００７９】
また、中心凹部１４に形成される中心貫通孔７４、７６又は幅方向貫通孔１２にスプーン等の日用品の把持部を貫通させることができれば、スプーン等の把持部の断面形状と中心貫通孔７４、７６又は幅方向貫通孔１２の形状とは、異なっていても良い。例えば、第１乃至第４の使用方法において、スプーンＳの柄ＳＥを、幅方向貫通孔１２に貫通させないで中心凹部１４に貫通させても良いし、第５の使用方法において、鉛筆Ｐの把持部ＰＥを、中心凹部１４に貫通させないで幅方向貫通孔１２に貫通させても良い。
【００８０】
また、不要な帯状シート部分を、切断することによって除去しても良い。
【００８１】
また、図８に示す変形の使用方法のように、把持部の径を太くして把持を容易にするためのグリップＧをスプーン等の把持部に挿入した状態で、把持補助具１を使用しても良い。
【００８２】
以上説明したように、把持補助具１は、スプーン等の把持部に対する帯状シート２の取付け形状、即ち、帯状シート２とスプーン等の把持部によって構成される輪の数、配置、大きさ等を自由に変えることができるので、スプーン等に対する様々な把持方法を実現することができる。
【００８３】
また、帯状シート２とスプーン等の把持部によって構成される輪に挿入した手や指がずれたり、外れたりすることを防止することができ、更に、幅方向貫通孔１２の凸部１６又は中心凹部１４の凸部２６により、それらを貫通しているスプーン等の把持部をしっかり保持することができる。このため、把持補助具１の使い勝手を極めて良好にすることができる。
【００８４】
また、把持補助具１の使用後、煮沸消毒が可能であるので、歯ブラシ等、水に濡れる日用品にも使用可能であり、把持補助具１を極めて衛生的な状態を保つことができる。
【００８５】
次に、図９乃至図２４を参照して、把持補助具の変形の実施形態を説明する。なお、第１の実施形態による把持補助具１と同様の構成部分には、同じ参照番号を付し、その説明を省略する。
【００８６】
図９は、本発明の第２の実施形態による把持補助具の平面図であり、図１０は、図９に示す把持補助具のＢ−Ｂにおける部分拡大断面図である。
【００８７】
図９及び図１０に示すように、第２の実施形態による把持補助具１００は、第１の実施形態による把持補助具１の貫通部４が連続的でなく、間隔をおいていることを特徴としている。
【００８８】
図１１は、本発明の第３の実施形態による把持補助具の平面図であり、図１２は、本発明の第４の実施形態による把持補助具の平面図である。
【００８９】
図１１に示すように、第３の実施形態による把持補助具１１０は、幅方向貫通孔１２だけを有していることを特徴としている。
【００９０】
また、図１２に示すように、第４の実施形態による把持補助具１２０は、第３の実施形態と同様、貫通部４が、帯状シート２の幅方向に延びる細長い幅方向貫通孔１２２だけを有していることを特徴としている。幅方向貫通孔１２２は、幅方向に真っ直ぐ延び、第３の実施形態の把持補助具１２０が備えているような凸部１６が省略されている。
【００９１】
図１３は、本発明の第５の実施形態による把持補助具の平面図であり、図１４は、本発明の第６の実施形態による把持補助具の平面図であり、図１５は、本発明の第７の実施形態による把持補助具の平面図である。
【００９２】
図１３に示すように、第５の実施形態による把持補助具１３０は、貫通部４が帯状シート２の幅方向中心部に位置する中心凹部１３２だけを有することを特徴としている。中心凹部１３２は、帯状シート２の長手方向に細長い矩形形状を有する中心貫通孔１３２からなる。この中心貫通孔１３２は、ナイフ等の把持を補助するのに適している。
【００９３】
また、図１４に示すように、第６の実施形態による把持補助具１４０は、第５の実施形態による把持補助具１３０と同様、貫通部４が帯状シート２の幅方向中心部に位置する中心凹部１４２だけを有していること、及び、中心凹部１４２が、帯状シート２の長手方向に延びる細長い矩形形状を有する中心貫通孔１４２からなることを特徴としている。中心貫通孔１４２の長さが、第５の実施形態の把持補助具１３０の中心貫通孔１３２よりも短く、断面積が小さい日用品の把持部を貫通させるのに適している。
【００９４】
また、図１５に示すように、第７の実施形態による把持補助具１５０は、第５の実施形態による把持補助具１３０と同様、貫通部４が帯状シート２の幅方向中心部に位置する中心凹部１５２だけを有している。中心凹部１５２は、星形の中心貫通孔１５２からなる。星形の中心貫通孔１５２の凸部１５４は、第１の実施形態による把持補助具１の中心凹部１４の凸部２６と同様、中心貫通孔１５２に日用品の把持部を貫通させたときに撓んで、把持部を押圧することによって、日用品が把持補助具に対して移動するのを制限する機能を有する。
【００９５】
図１６は、本発明の第８の実施形態による把持補助具の平面図であり、図１７は、図１６に示す把持補助具のＣ−Ｃにおける部分拡大断面図である。
【００９６】
図１６及び図１７に示すように、第８の実施形態による把持補助具１６０は、貫通部４が帯状シート２の幅方向中心部に位置する中心凹部１６２だけを有していること、及び、中心凹部１６２が矩形の中心貫通孔１６４と２重の矩形の段付き部１６６とを有していることを特徴としている。段付き部１６６は、第１の実施形態による把持補助具１の段付き部２０と同様の機能を有している。また、引掛け用端部６には、矩形の引掛け用孔１６８が設けられている。
【００９７】
図１８は、本発明の第９の実施形態による把持補助具の平面図であり、図１９は、図１８に示す把持補助具のＤ−Ｄにおける部分拡大断面図であり、図２０は、本発明の第１０の実施形態による把持補助具の平面図である。
【００９８】
図１８及び図１９に示すように、第９の実施形態による把持補助具１７０は、貫通部４が帯状シート２の幅方向中心部に位置する中心凹部１７２だけを有していること、中心凹部１７２が中心貫通孔１７４と４つの凸部１７６を有していること、及び、凸部１７６に３重の段付き部１７８が設けられていることを特徴としている。凸部１７６及び段付き部１７８はそれぞれ、第１の実施形態による把持補助具１の凸部２６及び段付き部２０と同様の機能を有している。
【００９９】
また、図２０に示すように、第１０の実施形態による把持補助具１８０は、第９の実施形態による把持補助具１７０と類似する構成を有し、中心凹部１７２の凸部１７６の位置が、中心凹部１７２の中心に対して４５度回転されていることだけが異なっている。
【０１００】
図２１は、本発明の第１１の実施形態による把持補助具の平面図であり、図２２は、図２１に示す把持補助具のＥ−Ｅにおける部分拡大断面図である。
【０１０１】
図２１及び図２２に示すように、第１１の実施形態による把持補助具１９０は、貫通部４が帯状シート２の幅方向中心部に位置する中心凹部１９２だけを有していること、中心凹部１９２が、矩形の中心貫通孔１９４と、３重の円形の段付き部１９６と、切除又は切断することにより凸部を形成可能な放射状凹部１９８とを有することを特徴としている。段付き部１９６及び放射状凹部１９８はそれぞれ、第１の実施形態による把持補助具１の段付き部２０及び放射状凹部２２と同様の機能を有しているので、それらの説明を省略する。また、段付き部１９６と放射状凹部１９８との交差部には、使用中、切除又は切断していない放射状凹部１９８が裂けることを防止するための貫通孔２００が設けられている。貫通孔２００は、半円形であり、そのほぼ直線の部分は、円形の段付き部１９６の周方向に延びている。
【０１０２】
第１１の実施形態による把持補助具１９０において、放射状凹部１９８を半円形貫通孔２００まで切除又は切断することによって、凸部が形成される。スプーン等の把持部を中心貫通孔１９４に何回も通したりそれから外したりする度に、放射状凹部１９８の切断によりできた凸部が撓むけれども、貫通孔２００の直線部分が周方向に延びているので、放射状凹部１９８が凸部の撓みにより半径方向外方に裂けることを防止することができる。
【０１０３】
図２３は、本発明の第１２の実施形態による把持補助具の平面図であり、図２４は、図２３に示す把持補助具のＦ−Ｆにおける部分拡大断面図である。
【０１０４】
図２３及び図２４に示すように、第１２の実施形態による把持補助具２１０は、第１の実施形態による把持補助具１と同様、貫通部４が、帯状シート２の幅方向に延びる細長い幅方向貫通孔２１２と、幅方向中心部に位置する中心凹部２１４とを有していることを特徴としている。幅方向貫通孔２１２は、幅方向に真っ直ぐ延び、第１の実施形態の把持補助具１が備えているような凸部１６が省略されている。また、中心凹部２１４は、円形の中心貫通孔２１６と、溝状の段付き部２１８とを有している。段付き部２１８は、第１の実施形態による把持補助具１の段付き部２０と同様の機能を有している。
【０１０５】
以上、本発明の実施形態による把持補助具を説明したけれども、本発明は、以上の実施形態に限定されることなく、特許請求の範囲に記載された発明の範囲内で種々の変更が可能であり、それらも本発明の範囲内に包含されるものであることはいうまでもない。
【０１０６】
例えば、帯状シート２に設けられている貫通部４の数は、少なくとも３つあれば、いくつでも良い。
【０１０７】
また、帯状シートは、シリコンゴム等に限らず、革又は布製であっても良い。
【０１０８】
また、上述の実施形態の貫通部４の構成要素を、自由に組合せて、把持補助具を構成しても良い。例えば、幅方向貫通孔１２と中心凹部１４を交互に配置しないで、一方を続けて配置した後、他方を続けて配置しても良い。
【０１０９】
【発明の効果】
上述のとおり、本発明による把持補助具によれば、日用品の様々な把持方法を実現することができる。
【０１１０】
また、本発明による把持補助具によれば、日用品の様々な把持方法を実現することができると共に、良好な使い勝手を達成することができる。
【０１１１】
また、本発明による把持補助具によれば、日用品の様々な把持方法を実現することができると共に、把持補助具を衛生的に保つことができる。
【図面の簡単な説明】
【図１】本発明の第１の実施形態による把持補助具の平面図である。
【図２】図１に示す把持補助具のＡ−Ａにおける部分拡大断面図である。
【図３】図１に示す把持補助具の第１の使用方法を示す斜視図である。
【図４】図１に示す把持補助具の第２の使用方法を示す斜視図である。
【図５】図１に示す把持補助具の第３の使用方法を示す斜視図である。
【図６】図１に示す把持補助具の第４の使用方法を示す斜視図である。
【図７】図１に示す把持補助具の第５の使用方法を示す斜視図である。
【図８】図１に示す把持補助具の変形の使用方法を示す斜視図である。
【図９】本発明の第２の実施形態による把持補助具の平面図である。
【図１０】図９に示す把持補助具のＢ−Ｂにおける部分拡大断面図である。
【図１１】本発明の第３の実施形態による把持補助具の平面図である。
【図１２】本発明の第４の実施形態による把持補助具の平面図である。
【図１３】本発明の第５の実施形態による把持補助具の平面図である。
【図１４】本発明の第６の実施形態による把持補助具の平面図である。
【図１５】本発明の第７の実施形態による把持補助具の平面図である。
【図１６】本発明の第８の実施形態による把持補助具の平面図である。
【図１７】図１６に示す把持補助具のＣ−Ｃにおける部分拡大断面図である。
【図１８】本発明の第９の実施形態による把持補助具の平面図である。
【図１９】図１７に示す把持補助具のＤ−Ｄにおける部分拡大断面図である。
【図２０】本発明の第１０の実施形態による把持補助具の平面図である。
【図２１】本発明の第１１の実施形態による把持補助具の平面図である。
【図２２】図２１に示す把持補助具のＥ−Ｅにおける部分拡大断面図である。
【図２３】本発明の第１２の実施形態による把持補助具の平面図である。
【図２４】図２３に示す把持補助具のＦ−Ｆにおける部分拡大断面図である。
【符号の説明】
１  把持補助具
２  帯状シート
４  貫通部
１２  幅方向貫通孔
１４  中心凹部
１６  凸部
２０  段付き部
２４  中心貫通孔
２６  凸部
１００、１１０、１２０、１３０、１４０、１５０、１６０、１７０、１８０、１９０、２１０  把持補助具
１２２、２１２  幅方向貫通孔
１３２、１４２、１５２、１６２、１７２、１９４、２１４  中心凹部
１６６、１７８、１９６、２１８  段付き部
１６４、１７４、１９４、２１６  中心貫通孔
【図１】
0004039874.tif 000002
【図２】
0004039874.tif 000003
【図３】
0004039874.tif 000004
【図４】
0004039874.tif 000005
【図５】
0004039874.tif 000006
【図６】
0004039874.tif 000007
【図７】
0004039874.tif 000008
【図８】
0004039874.tif 000009
【図９】
0004039874.tif 000010
【図１０】
0004039874.tif 000011
【図１１】
0004039874.tif 000012
【図１２】
0004039874.tif 000013
【図１３】
0004039874.tif 000014
【図１４】
0004039874.tif 000015
【図１５】
0004039874.tif 000016
【図１６】
0004039874.tif 000017
【図１７】
0004039874.tif 000018
【図１８】
0004039874.tif 000019
【図１９】
0004039874.tif 000020
【図２０】
0004039874.tif 000021
【図２１】
0004039874.tif 000022
【図２２】
0004039874.tif 000023
【図２３】
0004039874.tif 000024
【図２４】
0004039874.tif 000025